(57)【要約】【課題】  ヒール靴において「３つのアーチ」のいずれかが崩れることによって起こる外反母趾などの足のトラブルが発生するという課題を解決するためになされたものであり、足先への体重負荷を軽減し「３つのアーチ」を補い、さらに４つ目のアーチを機能させるスペースを確保し安定する靴を提供することを目的とする。【解決手段】  使用者の第１指中足骨及至第５指中足骨から前記中足骨に隣接する基節骨（Ｐ）に対向し、使用者の爪先側において隆起している堰部（３）と、前記堰部（３）が固設され、使用者の足裏を支持する中底（２）とを備えることを特徴とする靴により解決することができた。【選択図】図１
2019181050.tif 000002
【特許請求の範囲】
【請求項１】
使用者の第１指中足骨及至第５指中足骨から前記中足骨に隣接する基節骨に対向し、使用者の爪先側において隆起している堰部と、
前記堰部が固設され、使用者の足裏を支持する中底とを備えることを特徴とする靴。
【請求項２】
前記堰部は、前記中足骨の骨底部から前記基節骨の骨底部に向かって傾斜しており、前記中底に対する傾斜角度が１０度以上２５度以下であることを特徴とする請求項１に記載の靴。
【請求項３】
前記堰部は、前記中足骨の骨頭部に対向した領域に設けられた横長の形状から成る硬質部を有することを特徴とする請求項１又は請求項２に記載の靴。
【請求項４】
前記中底は、使用者の土踏まずから踵までに対向する領域に当接する立体クッション部を有し、前記立体クッション部は、使用者の足の内側の縦アーチに対向する内側隆起部と、使用者の足の外側の縦アーチに対向する外側隆起部と、踵部から成ることを特徴とする請求項１から請求項３のいずれかに記載の靴。
【請求項５】
前記内側隆起部は前記外側隆起部よりも高く成型されていることを特徴とする請求項４に記載の靴。
【請求項６】
前記踵部は、凹形状であることを特徴とする請求項４に記載の靴。
【請求項７】
前記中底は、前記基節骨から前記基節骨の先端側に位置する末節骨の間の関節から前記中足骨骨頭部に対応する中底にスリットが形成されていることを特徴とする請求項１から請求項６のいずれかに記載の靴。
【請求項８】
前記中底に着設され使用者の足を内接する基材を備え、前記基材において、使用者の第１指及至第５指に係る前記基節骨と前記基節骨に隣接する末節骨の間の関節に対応する横幅の長さが、使用者の第１指中足骨及至第５指中足骨の骨頭部に対応する横幅の長さと同一若しくはそれ以上であることを特徴とする請求項１から請求項７のいずれかに記載の靴。
【発明の詳細な説明】
【技術分野】
【０００１】
本発明は、靴の構造に関するものであって、女性のためにファッショナブルで履き心地のよい靴の構造に関する。
【背景技術】
【０００２】
女性用の踵の高いハイヒールなどの滑り防止具として、中敷きの形状にした柔軟なシートによって、体の重心が前方に移動し足が爪先方向に向かって滑りやすくなることを防止する中敷きが多数存在する。
【０００３】
ハイヒール靴を履いた時の足への負担を軽減するための従来例としては、例えば、特許文献１に記載の前滑り防止インソールが知られている。この前滑り防止インソールは、足の親指と人差し指の間に挟む突起を有し、インソール全体の形状は縦長であって、足の爪先に向かって細くなる滴型の形状である。足の親指と人差し指の間に挟む突起を有することにより、前滑りを防止し足の親指と人差し指の間を広げることで外反母趾などの「３つのアーチ」のいずれかが崩れることによって起こる足のトラブルを防いでいる。
【先行技術文献】
【特許文献】
【０００４】
【特許文献１】特許第５３８２５５０号公報
【発明の概要】
【発明が解決しようとする課題】
【０００５】
人の足は、片足で２８個の骨と、これらを取り巻く筋肉及び腱で成り立っている。足裏には、親指側を前後方向に延びる「内側縦アーチ」と、小指側を前後方向に延びる「外側縦アーチ」と、親指の付け根から小指の付け根にかけて左右方向に延びる「横アーチ」とが存在する。人が歩いたりする際には、これらの「３つのアーチ」で足裏に作用する荷重や衝撃を受け止めることにより、歩行時の足への負担が軽減されている。
【０００６】
しかし、ハイヒール靴の靴底は、急こう配で傾斜しており、また、靴の基本となる木型は生産効率性向上の観点から、足の形状を無視し、一律に靴が容易に脱げないように足を締め付ける寸法で成型されている。したがって、ハイヒール靴を履くと、足の爪先に過度に体重負荷がかかり、上記「３つのアーチ」のいずれかが崩れたり、足先が前方に滑って圧迫されたりすることにより、足への負担が増し、外反母趾などになるおそれがあった。一般的に、外反母趾とは、第一中足骨が内半し、母趾が外反することなどであり、歩行時に痛みを生じる。
【０００７】
また、例えば、足の横アーチが崩れて中足骨の骨と骨の間隔が広がる開張足になると、親指と小指の付け根の間隔は広がるが、指先は靴先の細い空間に閉じ込められ、足の変形の原因となっていた。このような足への負担は、骨の歪み、痛み、血行不良、及び足の疲労等の原因になるおそれがあり、ハイヒール靴を愛用する女性にとっては切実な問題となっていた。
【０００８】
特許文献１の前滑り防止インソールでは、特許文献１の図１に示すように、足の親指と人差し指の間に突起を挟むことによって前滑りを防止するが、足の親指と人差し指の間に突起があると、ヒールの高い靴を履いた時に突起によって足の指の間に体重負荷がかかり、足の指の間が痛くなってヒールの高い靴を長時間履き続けることはできない。つまり、足の親指と人差し指の間に点の体重負荷がかかり、足先への体重負荷を分散することはできず足先が前方に滑って圧迫されることにより、「３つのアーチ」のいずれかが崩れ、足先への負担が増し、外反母趾などの足のトラブルを防止することができないという課題があった。
【０００９】
さらに、ヒールの高い靴を履いた場合において、爪先への体重負荷を軽減するため、様々な後付けグッズが販売されている。例えば、爪先部分に当接するための爪先用クッションや、体重の前滑りを抑制するため中底に張り付ける滑り止めシートなどがドラッグストアなどで多数販売されている。しかし、このような着脱可能なものは、数回使用すると体重負荷によって変形し本来の機能を発揮できなくなる場合や、中底との密着性が喪失したりするため、臨時的に履き心地を良くするだけのものでしかなかった。
【００１０】
本発明は、「３つのアーチ」のいずれかが崩れることによって起こる外反母趾などの足のトラブルが発生するという上記課題を解決するためになされたものであり、それによって、ヒールの高い靴を履いた時に女性らしいシルエットを演出し、きれいで足長に見える、長時間履いても安定して直立や歩行が出来て痛くなりにくい靴を提供することを目的とする。
【課題を解決するための手段】
【００１１】
〔１〕すなわち、使用者の第１趾中足骨から第５趾中足骨から前記中足骨（Ｍ）に隣接する基節骨（Ｐ）に対向し、使用者の爪先側において隆起している堰部（３）と、前記堰部（３）が固設され、使用者の足裏を支持する中底（２）を備えることを特徴とする靴である。
【００１２】
〔２〕そして、前記堰部（３）は、前記中足骨の骨底部（ＭＢ）から前記基節骨の骨底部（ＰＢ）に向かって傾斜しており、前記中底（２）に対する傾斜角度が１０度以上２５度以下であることを特徴とする靴である。
【００１３】
〔３〕さらに、前記堰部（３）は、前記中足骨の骨頭部（ＭＰ）に対向した領域に設けられた横長の形状から成る硬質部（３４）を有することを特徴とする靴である。
【００１４】
〔４〕さらに、前記中底（２）は、使用者の土踏まずから踵までに対向する領域に当接する立体クッション部（２２）を有し、前記立体クッション部（２２）は、使用者の足の内側の縦アーチ（Ａ１）に対向する内側隆起部（２２１）と、使用者の足の外側の縦アーチ（Ａ２）に対向する外側隆起部（２２２）と、踵部（２２３）から成ることを特徴とする靴である。
【００１５】
〔５〕さらに、前記内側隆起部（２２１）は前記外側隆起部（２２２）よりも高く成型されていることを特徴とする靴である。
【００１６】
〔６〕さらに、前記踵部（２２３）は、凹形状であることを特徴とする靴である。
【００１７】
〔７〕さらに、前記中底（２）は、前記基節骨（Ｐ）から前記基節骨の先端側に位置する末節骨（Ｄ）の間の関節（ＩＰ）から前記中足骨骨頭部（ＭＰ）に対応する中底（２）にスリット（２１）が形成されていることを特徴とする靴である。
【００１８】
〔８〕さらに、前記中底（２）に着設され使用者の足を内接する基材（１）を備え、前記基材（１）において、使用者の第１指及至第５指に係る前記基節骨（Ｐ）と前記基節骨（Ｐ）に隣接する末節骨（Ｄ）の間の関節（ＩＰ）に対応する横幅の長さが、使用者の第１指中足骨及至第５指中足骨の骨頭部（ＭＰ）に対応する横幅の長さと同一若しくはそれ以上であることを特徴とする靴である。
【発明の効果】
【００１９】
本発明の靴によれば、ヒールの高い靴を履くことによって生じる「３つのアーチ」の機能が害された部分を補うことができる。足の爪先付近に「４つ目のアーチ」となる５指が大地を掴もうとする空間を作る堰部と、内側の縦アーチに対向する内側隆起部と外側の縦アーチに対向する外側隆起部と踵に当接する踵部とから成る立体クッション部と、中底と、インソールと、アウトソールと、ヒールからなる靴によって、足先、土踏まず、踵の３点で体重を支えることにより足先への体重負荷を軽減することができる。特に、堰部が中底に固設されることによって５指が大地を掴もうとする「４つ目のアーチ」ができるため、縦と横アーチを支えることができ、つま先部分への体重負荷が軽減され外反母趾などの足のトラブルを防止することができる。
【図面の簡単な説明】
【００２０】
【図１】本件発明の実施形態における靴の全体斜視図である。
【図２】本件発明の実施形態における靴のA−A線断面図である。
【図３】(a)一般的なハイヒール靴のつま先部分の平面断面図である。        (b) 本件発明の実施形態における靴のつま先部分の平面断面図である。
【図４】本件発明の実施形態における靴の分解斜視図である。
【図５】本件発明の実施形態における立体クッション部の斜視図である。
【図６】あおり歩行による体重移動の図
【図７】本件発明の実施形態における中底にかかる体重移動の図である。
【図８】本件発明の実施形態における中底にかかるスリットの底面図である。
【図９】(a)本件発明の実施形態における堰部の平面図である。        (b)本件発明の実施形態における堰部のＢ−Ｂ線断面図である。
【図１０】(a)「３つのアーチ」と本実施形態における靴の「第４のアーチ」の模式図          (b)本件発明の実施形態における靴と人間の足の使用状態を示す断面図である        。
【発明を実施するための形態】
【００２１】
以下、本発明に係る靴に関する実施の形態について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。
【００２２】
図１から図１０に示すように、実施形態に係る靴Sは、基材１、中底２、スリット２１、立体クッション部２２、内側隆起部２２１、外側隆起部２２２、踵部２２３、堰部３、前側傾斜部３１、後側傾斜部３２、頂部３３、硬質部３４、アウトソール４、インソール５、ヒール６などから構成される靴である。
【００２３】
基材１は、中底２、立体クッション部２２、堰部３、アウトソール４、インソール５と一体的に成型され、使用者の足Ｆの爪先部、内側部、外側部、踵部を包み込んで保持する部材である。
【００２４】
基材１が歩行の際に屈曲する箇所は、第１指及至第５指に係る中足骨骨頭部MＰ付近である。図３(a)に示すように、一般品では、基材１の爪先部は、第１指及至第５指に係る中足骨骨頭部MＰ付近から爪先に向かって先細りに成型されている。一方、図３(b)に示すように、本発明では、第１指及至第５指に係る基節骨Pと末節骨Dの間の関節IＰの横幅の長さと、第１指及至第５指に係る中足骨骨頭部MＰに対応する横幅の長さは、同一若しくはそれ以上であり、第１指及至第５指に係る基節骨Pと前記末節骨Dの間の関節IＰから爪先に向かって基材１の爪先部が先細りに成型されている。したがって、第１指及至第５指に係る中足骨骨頭部MＰ付近に対向する中底２の領域に堰部３を固設したときに、第１指及至第５指に係る中足骨骨頭部MＰが基材１によって締め付けられることを防ぎ、５指が大地を掴もうとする「４つ目のアーチ」として機能する空間が形成されて、外反母趾などを防止することができる。
【００２５】
足裏が接触する基材１の表面側は、堰部３と立体クッション部２２が固設された中底２と、前記中底２を上方からカバーするインソール５が一体成型されている。基材１の裏面側には、優れた屈曲性を有するアウトソール４が固設されている。
【００２６】
中底２は、足の爪先から踵の近傍に至るまでの長さを有している。図４及び図５に示すように、中底２は、土踏まずから踵に至るまでに対向する領域に、立体クッション部２２が一体成型されている。一般的に、中底は柔らかすぎると体重移動が安定せず、硬すぎると足が疲れてしまう。発泡性の立体クッション部２２によって、足裏は柔らかすぎないソフトな感触で体重を受ける一方、中底２は硬質であるため硬さの異なる２段構造により、体重負荷を安定的に分散することができ、歩行による疲労を軽減することができる。
【００２７】
図６及び図７に示すように、人の歩行は、いわゆる「あおり歩行」によって行われている。「あおり歩行」とは、前進するために上がった足が、踵から着地し体重を足裏の外側を周り、第１指及至第５指に係る中足骨骨頭部MP付近で体重が足裏中央に戻り、爪先（親指）に流れる一連の動作をいう。中底２は足裏形状に沿って凹凸が形成されており、立体クッション部２２などが中底２に固設されていることから、体重が移動しながらかかる重心に沿って、足の局所に負担をかけず、点でなく面で体重を支えることにより、体重負荷を分散することができる。
【００２８】
第１指及至第５指に係る中足骨骨頭部MPは、歩行時に屈曲運動をする箇所である。図８に示すように、第１指及至第５指に係る基節骨Pと末節骨Dの間の関節IPから第１指及至第５指に係る中足骨骨頭部MPまでに対向する中底２の領域に、横幅方向の２本以上のスリット２１が形成されている。前記スリット２１は、折れ線の役割を果たし高い屈曲性を有する。また、中底２に一体成型されている立体クッション部２２が軟質の材料によりモールド成型されているため、前記スリット２１と併せ、高い屈曲性を有し、また、屈曲に対する戻りもよい。高い屈曲性によって歩行をスムーズに行えるだけでなく、ヒールの高い靴の場合、足を持ち上げる動作を助けることができる。なお、本実施形態では複数本のスリットが形成されているが、他の実施形態では１本でも良く、また多孔でも良い。
【００２９】
図５に示すように、立体クッション部２２は、内側隆起部２２１と、外側隆起部２２２と、踵部２２３とから成り、骨格構造に即した形状で立体的にモールド成型されているため、体重負荷が立体クッション部２２によって分散され、前滑りすることを防ぐ。
【００３０】
内側隆起部２２１は、親指側を前後方向に延びる「内側縦アーチ」Ａ１に対向する領域に設けられ、外側隆起部２２２は小指側を前後方向に延びる「外側縦アーチ」Ａ２に対向する領域に設けられている。前記内側隆起部２２１は、使用者の足裏の土踏まずに対向しているため、前記外側隆起部２２２よりも高く成型されている。したがって、内側隆起部２２１に使用者の足裏の土踏まずがぴったりと納まり、体重による土踏まずに対する負荷を受けるほど、体重が内側隆起部２２１に沿って密着し、前滑りを防ぐ。
【００３１】
踵部２２３は、例えば、高さ５ｍｍの深さから成る凹形状から成り、使用者の踵がすっぽりと納まり、踵の中心に体重が集まるように成型されている。中底２は、人の足裏の形状に沿うように形成されているため、使用者の踵に対向する中底２の領域も使用者の踵がすっぽりと納まる凹形状に成型されている。したがって、中底２における踵部２２３によって、使用者の踵が踵部２２３に埋没した状態となり、例えば、表面視で地面から踵までの高さが７.５ｃｍのハイヒール靴が、実際に履いた場合のヒールの高さは７ｃｍとなり、見た目よりも低い高さで、ハイヒール靴を履くことができ、安定感を有するとともに美しいシルエットを演出することができる。
【００３２】
人の足裏には、親指側を前後方向に延びる「内側縦アーチ」Ａ１と、小指側を前後方向に延びる「外側縦アーチ」Ａ２と、親指の付け根から小指の付け根にかけて左右方向に延びる「横アーチ」Ａ３とからなる「３つのアーチ」が存在する。これらの「３つのアーチ」によって足裏に作用する荷重や衝撃を受け止めることにより、歩行時の足への負担が軽減されている。「３つのアーチ」のうち「内側縦アーチ」Ａ１と「外側縦アーチ」Ａ２は、立体クッション部２２によってしっかり維持できるように形成されているため、ヒールの高い靴を履いても、爪先への体重負荷が分散され軽減される。
【００３３】
堰部３は、図９(a)及び(b)に示すように、第１指及至第５指に係る中足骨骨頭部ＭＰ付近から基節骨Pに向かって下降する前側傾斜部３１、中足骨Mから基節骨Pに向かって傾斜している後側傾斜部３２、中足骨骨頭部ＭＰ付近に対向する堰部３に設けられた頂部３３、中足骨骨頭部ＭＰに当接するように設けられた硬質部３４とから成る。堰部３は、略楕円形の高反発ウレタンフォームから成り、中足骨骨底部ＭＢから基節骨骨底部ＰＢにほぼ対向する中底２の領域に固設され、中足骨骨頭部ＭＰに当接するように中底２に一体成型されている。堰部３は、後側傾斜部３２から頂部３３に向かって傾斜しており、中底２に対する頂部３３までの傾斜角度が１０度以上２５度以下で形成され、頂部３３から前側傾斜３１に向かって下降して成る。本実施形態の中底２に対する頂部３３までの傾斜角度αは１０度以上２５度以下であることが好ましく、１５度が最も好ましい。
【００３４】
硬質部３４は、図９(a)及び(b)に示すように、長手方向の略楕円形状から成り、第１指及至第５指に係る中足骨骨頭部ＭＰ付近に当接するように、堰部３が中底２に固設されている。例えば、厚さ１０ｍｍの高反発ウレタンフォームをモールド成型によって５ｍｍに圧縮することにより、荷重によって凹むことのない硬質部３４を成型することができる。そして、硬質部３４が第１指及至第５指に係る中足骨骨頭部ＭＰ付近を下から支えることにより、５指が大地を掴もうとするための空間を靴の爪先部に確保することができる。つまり、硬質部３４は、足の爪先にかかる体重負荷を軽減するための滑り止めクッションとしての役割だけではなく、硬質部３４によって作られる空間において、５指が大地を掴もうとすることができるため、５指が「第４のアーチ」としての役割を果たし、「第３のアーチ」への体重負荷を軽減し、機能が害されることを防ぐことができる。
【００３５】
「第４のアーチ」Ａ４とは、図１０に示すように、親指側から小指側にかけて前後左右方向に延びる放射ドーム状のアーチである。「内側縦アーチ」Ａ１、「外側縦アーチ」Ａ２及び「横アーチ」Ａ３とから成る「３つのアーチ」の機能が、爪先への過度の体重負荷により害されることによる外反母趾などの足のトラブルを防ぐために「４つ目のアーチ」Ａ４が設けられた。本実施形態において、硬質部３４が「４つ目のアーチ」Ａ４が機能するための空間を作り、５指が大地を掴もうとすることができることによって「４つ目のアーチ」が形成され安定し、それによって「３つのアーチ」への体重負荷が軽減され、機能が害されることを防ぐことができる。
【００３６】
具体的には、図１０(b)に示すように、硬質部３４は、高弾力性・高反発性を備えたウレタン等の材質により成型され、ヒールの高さによる踵からの体重負荷を硬質部３４の上面で支え、体重の前滑りを軽減する。  つまり、硬質部３４によって、中足骨骨頭部ＭＰ、特に、第２中足骨骨頭部ＭＰ２及び第３中足骨骨頭部ＭＰ３にかかる体重負荷を分散させることができるため、「３つのアーチ」の機能のうち、特に、「横アーチ」Ａ３を補強し維持することができる。
【００３７】
つまり、「３つのアーチ」の機能のうち、本実施形態における、立体クッション部２２によって「内側縦アーチ」Ａ１と「外側縦アーチ」Ａ２、そして、堰部３によって「横アーチ」Ａ３が崩れることを防ぐことができ、いずれか一つでも崩れると他のアーチも崩れる。したがって、「３つのアーチ」の機能を維持するために必要な「第４のアーチ」Ａ４を作り出すために、立体クッション部２２と堰部３は必要な部材である。
【００３８】
つまり、実施形態の硬質部３４が「４つ目のアーチ」Ａ４が機能するための空間を作り、さらに硬質部３４によって使用者の足と基材が密着し靴が脱げにくい適度な締め付けも可能にし、５指が大地を掴もうとすることができることによって「４つ目のアーチ」が形成され安定し、それによって「３つのアーチ」への体重負荷が軽減され、機能が害されることを防ぐことができる。
【００３９】
本実施形態の硬質部３４は、略楕円形状であるが、略長方形などの形状でもよい。また、表面は平面でなくてもよく、細かな縦筋または横筋もしくは縦筋と横筋がクロスされていても良い。表面に波型の凹凸があっても良いし、細かな円孔があってもよい。
【００４０】
アウトソール４は、直接地面などと当接する部材であり、基材１の裏面側に固着され一体成型されている。ＰＶＣ原料と可塑剤で製造することによって屈曲に対する戻りが良く、滑りにくい。また、アウトソール４全体が横幅方向に屈曲しやすいように窪んで成型されているため、横に曲がった状態を維持したままで縦方向に屈曲しても横方向の屈曲が維持でき、さらに歩行の際に屈曲した靴が自発的に元の形状に戻りやすいため歩きやすい。
【００４１】
インソール５は、堰部３と立体クッション部２２が固設された中底２の最上面側に固着される部材である。爪先部分はウレタン発泡トリコットから成るためソフトな感触を有し、クッション性を有する。本実施形態のインソール５は、ウレタン発泡トリコットを使用しているが、これに限定されず、例えば、公知の軟質のスチレン系エラストマーや、軟質の塩化ビニル系エラストマーなどのような軟質の高分子化合物も適用されうる。本実施形態における靴において、足裏に接触する面は、中底２、立体クッション部２２、堰部３及びインソール５が一体成型されたクッション性を有する複数層からなるため、非常にクッション性が良く、足が疲れにくい。
【００４２】
本出願において、「ヒールの高い靴」とは、そのヒールの高さを限定するものではないが、代表的には、ヒールの高さが３０ｍｍ以上のものが該当する。また、本出願における、「靴」は、デザインパンプス、ストレッチショートブーツ、ロングブーツ、サンダル、ミュールなども含まれる。
【００４３】
本実施形態では主として左足用の靴を用いて説明しているが、右足用の靴は対称的な構造を有しており、左足用の靴と同様の作用、効果を有する。
【符号の説明】
【００４４】
１・・・基材
２・・・中底
２１・・スリット
２２・・立体クッション部
２２１・内側隆起部
２２２・外側隆起部
２２３・踵部
３・・・堰部
３１・・前側傾斜部
３２・・後側傾斜部
３３・・頂部
３４・・硬質部
４・・・アウトソール
５・・・インソール
６・・・ヒール
Ａ１・・内側縦アーチ
Ａ２・・外側縦アーチ
Ａ３・・横アーチ
Ａ４・・第４のアーチ
Ｆ・・・足
Ｓ・・・靴
Ｐ・・・基節骨
ＰＢ・・基節骨骨底部
Ｄ・・・末節骨
ＤＢ・・末節骨骨底部
Ｍ・・・中足骨
ＭＢ・・中足骨骨底部
ＭＰ・・中足骨骨頭部
ＭＰ２・第２中足骨骨頭部
ＭＰ３・第３中足骨骨頭部
ＩＰ・・基節骨から末節骨の間の関節
【図１】
2019181050.tif 000003
【図２】
2019181050.tif 000004
【図３】
2019181050.tif 000005
【図４】
2019181050.tif 000006
【図５】
2019181050.tif 000007
【図６】
2019181050.tif 000008
【図７】
2019181050.tif 000009
【図８】
2019181050.tif 000010
【図９】
2019181050.tif 000011
【図１０】
2019181050.tif 000012